(57)【要約】【課題】  既に印刷物に印刷されているＵＲＬの示すホームページに、携帯情報端末から容易にアクセス可能とする。【解決手段】  原稿を読み取って第１の画像データを得て、特定の文字列を抽出し、前記読み取った第１の画像データより文字列部分を認識し、前記認識した文字列の中からアドレス情報を抽出し、前記抽出したアドレス情報を二次元バーコード画像データに変換し、前記第１の画像データに加え、前記変換して生成した二次元バーコード画像データを付加した第２の画像データを生成し、前記生成した画像データを印刷する。【選択図】  図５
2009141772.tif 000002
【特許請求の範囲】
【請求項１】
原稿を読み取って第１の画像データを得る画像読み取り手段と、
特定の文字列を抽出し、第２の画像データを得るための指示が可能な操作パネル制御手段と、
前記画像読み取り手段により読み取った第１の画像データより文字列部分を認識する文字認識手段と、
前記文字認識手段にて認識した文字列データの中からアドレス情報を抽出するアドレス情報抽出手段と、
前記アドレス情報抽出手段にて抽出したアドレス情報文字列を二次元バーコード画像データに変換する二次元バーコード変換手段と、
前記第１の画像データの加え、前記二次元バーコード変換手段にて生成した二次元バーコード画像データとをデータを付加した第２の画像データを生成する画像データ生成手段と、
前記画像データ生成手段により生成した画像データを印刷することが可能な印刷制御手段と、
を備えることを特徴とする画像処理装置及び画像処理システム。
【請求項２】
前記アドレス情報抽出手段により抽出したアドレス情報を使用して、そのアドレス情報の示すホームページ（Ｗｅｂ）に実際に接続するＷｅｂアクセス手段と
を備えることを特徴とする請求項１記載の画像処理装置及び画像処理システム。
【請求項３】
前記文字認識手段により認識した文字列の候補が複数ある場合に、前記Ｗｅｂアクセス手段により接続を試みて、アクセスに成功した方を選択するアドレス情報抽出手段と、
を備えることを特徴とする請求項１及び請求項２記載の画像処理装置及び画像処理システム。
【請求項４】
前記文字認識手段により認識し前記アドレス情報抽出手段にて得たアドレス情報が前記第１の画像データ内に複数存在する場合に、それぞれの印刷位置を保持、記憶する印刷情報制御手段と、
前記印刷情報制御手段で得た印刷位置情報を元に、前記二次元バーコード変換手段にて生成した二次元バーコード画像データを印刷する位置を決定し、二次元バーコード画像データを付加した第２の画像データを生成する画像データ生成手段と、
を備えることを特徴とする請求項１記載の画像処理装置及び画像処理システム。
【請求項５】
前記文字認識手段により認識し前記アドレス情報抽出手段にて得たアドレス情報が前記第１の画像データ内に複数存在する場合に、印刷時に使用する色を設定する印刷情報制御手段と、
前記印刷情報制御手段で得た色情報を、前記アドレス情報と、前記二次元バーコード変換手段にて生成した二次元バーコード画像データとに適用し第２の画像データを生成する画像データ生成手段と、
を備えることを特徴とする請求項１記載の画像処理装置及び画像処理システム。
【発明の詳細な説明】
【技術分野】
【０００１】
本発明は、画像処理装置および画像処理システムに関するものであり、特にスキャナで読み込んだ画像内から文字認識を行い、認識した文字情報に伴い画像データを生成する処理に関するものである。
【背景技術】
【０００２】
近年、インターネットの普及に伴い、様々な情報がホームページ（Ｗｅｂ）により公開されることが多くなっている。
【０００３】
また、それらホームページへアクセスする手段として、パソコンが利用されているが、最近では携帯電話等のブラウザ機能付きの携帯情報端末からもアクセスが可能となっている。
【０００４】
携帯情報端末からのホームページへのアクセスは、携帯情報端末上にホームページのアドレス情報であるＵＲＬを入力して行うことで可能である。
【０００５】
また、カメラ付き携帯情報端末では、ホームページアクセス用としてＵＲＬ情報を埋め込んだＱＲコードなどの二次元バーコードを読み取り、解析することでアクセス可能としているものもある。（例えば、特許文献１参照）
前述の通り、インターネットの普及に伴い、ホームページの画面を印刷した印刷物ものにもアドレス情報（ＵＲＬ）が印字されている。
【０００６】
また、最近の印刷物には、印刷物の補足情報や参照先を示す目的やアクセスしてほしいホームページを示す目的でアドレス情報（ＵＲＬ）が印字されているものが多くなってきている。
【特許文献１】特開２００３−１９８６７４号公報
【発明の開示】
【発明が解決しようとする課題】
【０００７】
しかしながら、携帯情報端末は、上述のブラウザ機能等の高度な機能が充実しているが、携帯性を重視するために端末自体を小型化しているために、キーの配置数や配置場所に制約がある。
【０００８】
そのため、携帯情報端末のキーによって入力するのは容易ではないという問題がある。
【０００９】
特に、上述のようにＵＲＬ入力となると、あまり意味のない単なる文字の羅列である場合が多いので、その入力にはより手間がかかるという問題があった。
【００１０】
本発明は、このような問題に鑑みてなされたもので、既に印刷物に印刷されているＵＲＬの示すホームページに、携帯情報端末から容易にアクセス可能とすることを目的とする。
【課題を解決するための手段】
【００１１】
上述した課題を解決するために、本発明は、原稿を読み取って第１の画像データを得る画像読み取り手段と、特定の文字列を抽出し、第２の画像データを得るための指示が可能な操作パネル制御手段と、前記画像読み取り手段により読み取った第１の画像データより文字列部分を認識する文字認識手段と、前記文字認識手段にて認識した文字列データの中からアドレス情報を抽出するアドレス情報抽出手段と、前記アドレス情報抽出手段にて抽出したアドレス情報文字列を二次元バーコード画像データに変換する二次元バーコード変換手段と、前記第１の画像データの加え、前記二次元バーコード変換手段にて生成した二次元バーコード画像データとをデータを付加した第２の画像データを生成する画像データ生成手段と、前記画像データ生成手段により生成した画像データを印刷することが可能な印刷制御手段と、を備えることを特徴とする。
【００１２】
上述した課題を解決するために、本発明は、前記アドレス情報抽出手段により抽出したアドレス情報を使用して、そのアドレス情報の示すホームページ（Ｗｅｂ）に実際に接続するＷｅｂアクセス手段とを備えることを特徴とする。
【００１３】
上述した課題を解決するために、本発明は、前記文字認識手段により認識した文字列の候補が複数ある場合に、前記Ｗｅｂアクセス手段により接続を試みて、アクセスに成功した方を選択するアドレス情報抽出手段と、を備えることを特徴とする。
【００１４】
上述した課題を解決するために、本発明は、前記文字認識手段により認識し前記アドレス情報抽出手段にて得たアドレス情報が前記第１の画像データ内に複数存在する場合に、それぞれの印刷位置を保持、記憶する印刷情報制御手段と、前記印刷情報制御手段で得た印刷位置情報を元に、前記二次元バーコード変換手段にて生成した二次元バーコード画像データを印刷する位置を決定し、二次元バーコード画像データを付加した第２の画像データを生成する画像データ生成手段と、を備えることを特徴とする。
【００１５】
上述した課題を解決するために、本発明は、前記文字認識手段により認識し前記アドレス情報抽出手段にて得たアドレス情報が前記第１の画像データ内に複数存在する場合に、印刷時に使用する色を設定する印刷情報制御手段と、前記印刷情報制御手段で得た色情報を、前記アドレス情報と、前記二次元バーコード変換手段にて生成した二次元バーコード画像データとに適用し第２の画像データを生成する画像データ生成手段と、を備えることを特徴とする。
【発明の効果】
【００１６】
本発明によって、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【００１７】
さらに、抽出したＵＲＬ文字列を二次元バーコードへ変換し、変換した二次元バーコード画像をコピー画像の空きスペース等に印刷することが可能となる。これによりカメラ等がついた二次元バーコード解析が可能な携帯情報端末であれば、アドレス情報（ＵＲＬ）文字列を一文字ずつ文字入力しなくてもよく、必要なホームページ（Ｗｅｂ）へのアクセスが容易となる。
【００１８】
また、本発明によって、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【００１９】
このとき抽出したアドレス情報（ＵＲＬ）の示すホームページ（Ｗｅｂ）へのアクセスを試み、接続に成功した場合に、抽出したＵＲＬ文字列を二次元バーコードへ変換し、変換した二次元バーコード画像をコピー画像の空きスペース等に印刷することが可能となる。
【００２０】
これによりカメラ等がついた二次元バーコード解析が可能な携帯情報端末であれば、アドレス情報（ＵＲＬ）文字列を一文字ずつ文字入力しなくてもよい。
【００２１】
よって、必要なホームページ（Ｗｅｂ）へのアクセスが容易になるという効果に加え、確実にアクセス可能な二次元バーコード画像を印刷するので、無駄な通信を防ぐことが可能となる。
【００２２】
また、本発明によって、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【００２３】
このとき抽出したアドレス情報（ＵＲＬ）の文字列の候補が、原稿の状態や読み取り精度の問題等で一つに定まらず複数あった場合、順次抽出したアドレス情報（ＵＲＬ）の示すホームページ（Ｗｅｂ）へのアクセスを試みる。
【００２４】
その結果、接続に成功した場合に、アクセスに成功したＵＲＬ文字列を二次元バーコードへ変換し、変換した二次元バーコード画像をコピー画像の空きスペース等に印刷することが可能となる。
【００２５】
これによりカメラ等がついた二次元バーコード解析が可能な携帯情報端末であれば、アドレス情報（ＵＲＬ）文字列を一文字ずつ文字入力しなくてもよい。
【００２６】
よって、必要なホームページ（Ｗｅｂ）へのアクセスが容易になるという効果に加え、確実にアクセス可能な二次元バーコード画像を印刷するので、無駄な通信を防ぐことが可能となり、接続の信頼性が向上する。
【００２７】
また、本発明によって、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【００２８】
このとき抽出したＵＲＬ文字列が原稿１ページの中に複数あった場合、それぞれのアドレス情報（ＵＲＬ）の印字されている位置を記憶し、二次元バーコードへ変換する。
【００２９】
変換した二次元バーコード画像をコピー画像に印字する際は、元となるアドレス情報（ＵＲＬ）の印字されている近くの空きスペース等に印刷することが可能となる。
【００３０】
また、元となるアドレス情報（ＵＲＬ）の印字されている近くに空きスペースがない場合は、アドレス情報（ＵＲＬ）の印字してある位置のちょうど裏面の位置に二次元バーコード画像が印刷されるように画像データを両面データとして生成することも可能である。
【００３１】
これによりカメラ等がついた二次元バーコード解析が可能な携帯情報端末であれば、アドレス情報（ＵＲＬ）文字列を一文字ずつ文字入力しなくてもよい。
【００３２】
よって、必要なホームページ（Ｗｅｂ）へのアクセスが容易になるという効果に加え、ページ内に記載されたアドレス情報（ＵＲＬ）が複数存在する場合にも、該当するアドレス情報（ＵＲＬ）と二次元バーコードが近い位置もしくは表裏同一位置に印刷されるので、確実に該当するホームページ（Ｗｅｂ）にアクセス可能となり、利便性が向上する。
【００３３】
また、本発明によって、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【００３４】
このとき抽出したＵＲＬ文字列が原稿１ページの中に複数あった場合、それぞれのアドレス情報（ＵＲＬ）の印字されている位置を記憶し、二次元バーコードへ変換する。
【００３５】
変換した二次元バーコード画像をコピー画像に印字する際は、元となるアドレス情報（ＵＲＬ）とそれに該当する二次元バーコードを同一色で印刷することが可能となる。
【００３６】
これによりカメラ等がついた二次元バーコード解析が可能な携帯情報端末であれば、アドレス情報（ＵＲＬ）文字列を一文字ずつ文字入力しなくてもよい。
【００３７】
よって、必要なホームページ（Ｗｅｂ）へのアクセスが容易になるという効果に加え、ページ内に記載されたアドレス情報（ＵＲＬ）が複数存在する場合にも、該当するアドレス情報（ＵＲＬ）と二次元バーコードが同一の色で印刷されるので、確実に該当するホームページ（Ｗｅｂ）にアクセス可能となり、利便性が向上する。
【発明を実施するための最良の形態】
【００３８】
以下に本発明の実施の形態について、図面を参照しながら説明する。
【００３９】
［システムの構成］
図１は、本発明の実施の一形態に係る画像処理装置を含む画像入出力システムの構成を示すブロック図である。
【００４０】
本実施の形態では、画像処理装置として、コピー機能、スキャナ機能、プリンタ機能、ファクシミリ機能及びボックス機能を有する画像入出力システムを例に説明する。
【００４１】
同図に示すように、画像処理装置１００は、リーダ部２００と、プリンタ部３００と、制御装置１１０と、操作部１５０とを備える。
【００４２】
リーダ部２００は、原稿を給紙するための原稿給紙ユニット２５０と、原稿給紙ユニット２５０から給紙された原稿上の画像を読み取るためのスキャナユニット２１０とを有する。
【００４３】
スキャナユニット２１０により読み取られた画像データは、制御装置１１０に入力される。
【００４４】
プリンタ部３００は、給紙ユニット３１０と、マーキングユニット３２０と、排紙ユニット３３０とを有する。給紙ユニット３１０は、異なるサイズの記録紙をそれぞれ収容する複数のカセットを搭載し、各カセットから記録紙を給紙する。
【００４５】
マーキングユニット３２０は、電子写真方式による画像形成プロセスを有するユニットである。このマーキングユニット３２０においては、ＬＡＮ４００に接続されたＰＣ（ホストコンピュータ）４１１，４１２またはスキャナユニット２１０から制御装置１１０を介して入力された画像データに基づき給紙ユニット３１０から給紙された記録紙上に画像形成を行う。
【００４６】
排紙ユニット３３０は、マーキングユニット３２０により画像形成された記録紙をソート、ステイプルなどの処理を施して排紙する。
【００４７】
制御装置１１０は、リーダ部２００及びプリンタ部３００と電気的に接続されるとともに、ＰＣ４１１，４１２を収容するＬＡＮ４００及び公衆回線（図示せず）に接続されている。
【００４８】
制御装置１１０は、リーダ部２００により原稿の画像データを読み取り、この画像データをプリンタ部３００に出力して記録紙上に画像を形成するように制御することによって、コピー機能を実現する。
【００４９】
また、リーダ部２００で読み取られた画像データをコードデータに変換し、ＬＡＮ４００を介してＰＣ４１１，４１２に送信するように制御することによって、スキャナ機能を実現する。加えて、各ＰＣ４１１，４１２からＬＡＮ４００を介して受信したコードデータを画像データに変換し、この画像データをプリンタ部３００に出力するように制御することによって、プリンタ機能を実現する。
【００５０】
さらに、リーダ部２００により原稿の画像データを読み取り、この画像データを後述するＦＡＸボード（図示せず）に出力し、また公衆回線に送出された画像データをＦＡＸボードを介して受信してプリンタ部３００に出力することによって、ファクシミリ機能を実現する。
【００５１】
また、制御装置１１０には、ハードディスクドライブ（ＨＤドライブ）１６０が接続され、このハードディスクドライブ１６０の記憶領域は、複数の領域に分割され、各領域には画像データが格納される。制御装置１１０は、このハードディスクドライブ１６０のハードディスクを用いてボックス機能を実現する。
【００５２】
操作部１５０は、制御装置１１０に対する指示入力などを行うための各種キー及びユーザとのインターフェイス画面を表示するための液晶表示パネルを有し、各種キーに操作に応じて対応する信号を発生して制御装置１１０へ出力する。操作部詳細に関しては、別な図を使って後述する。
【００５３】
［リーダ部２００及びプリンタ部３００のハードウェア構成］
次に、リーダ部２００及びプリンタ部３００のハードウェア構成について図２を参照しながら説明する。図２は、図１に示した画像処理装置のリーダ部２００及びプリンタ部３００のハードウェア構成を模式的に示す図である。
【００５４】
図２に示すように、リーダ部２００とプリンタ部３００とは、一体的に構成されている。リーダ部２００は、原稿給紙ユニット２５０を搭載し、原稿給紙ユニット２５０は、原稿を先頭から順に１枚ずつプラテンガラス２１１上へ給送し、各原稿の読取動作が終了する毎にその原稿をプラテンガラス２１１から排出トレイ（図示せず）に排出する。
【００５５】
リーダ部２００は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６及びレンズ２１７を経てＣＣＤイメージセンサ（以下、ＣＣＤという）２１８に導かれ、原稿上の画像がＣＣＤ２１８の撮像面上に結像される。ＣＣＤ２１８は、撮像面に結像された画像を電気信号に変換し、この電気信号は所定の処理施された後に制御装置１１０に入力される。
【００５６】
プリンタ部３００は、レーザドライバ３２１を有し、レーザドライバ３２１は、制御装置１１０から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００５７】
トナー像が転写された記録紙は搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。
【００５８】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００５９】
［制御装置１１０の詳細構成］
次に、制御装置１１０の詳細構成について図３を参照しながら説明する。図３は、図１に示した画像処理装置における制御装置１１０の構成を示すブロック図である。
【００６０】
図３に示すように、制御装置１１０は、装置全体の制御を行うメインコントローラ１１１を有し、このメインコントローラ１１１には、ＣＰＵ１１２、バスコントローラ１１３、各種Ｉ／Ｆコントローラ回路（図示せず）などが設けられている。また、メインコントローラ１１１には、ＲＯＭ１１４がＩ／Ｆ１１５を介して、ＤＲＡＭ１１６がＩ／Ｆ１１７を介してそれぞれ接続されている。ＣＰＵ１１２は、ＲＯＭ１１４からＩ／Ｆ１１５を介して読み込んだプログラムに従い各種処理を行う。例えば、各ＰＣ４１１，４１２から受信したＰＤＬ（ページ記述言語）を解釈し、ラスタイメージデータに展開する展開処理などを行う。ＣＰＵ１１２の作業領域は、ＤＲＡＭ１１６により提供される。このＤＲＡＭ１１６には、画像データも格納される。
【００６１】
また、メインコントローラ１１１には、コーデック（Ｃｏｄｅｃ）１１８がＩ／Ｆ１２０を介して接続され、コーデック１１８はＤＲＡＭ１１６に格納されたラスタイメージデータをＭＨ／ＭＲ／ＭＭＲ／ＪＢＩＧなどの方式で圧縮し、また逆に圧縮され蓄積されたコードデータをラスタイメージデータに伸長する。
【００６２】
コーデック１１８の処理に伴う作業領域は、ＳＲＡＭ１１９により提供される。コーデック１１８とＤＲＡＭ１１６との間のデータ転送は、ＤＭＡ方式により行われ、その制御はバスコントローラ１１３によって行われる。
【００６３】
さらに、メインコントローラ１１１には、ネットワークコントローラ１２１がＩ／Ｆ１２３を介して接続され、このネットワークコントローラ１２１は、イーサネット（登録商標）などのネットワーク機能を有する。ネットワークコントローラ１２１には、コネクタ１２２が設けられ、このコネクタ１２２はＬＡＮ４００（図１に示す）に接続されている。
【００６４】
さらに、メインコントローラ１１１には、拡張ボードを接続するための拡張コネクタ１２４及びＩ／Ｏ制御部１２６が汎用高速バス１２５を介して接続されている。ここで、汎用高速バス１２５は例えばＰＣＩバスからなる。本実施の形態では、ファクシミリ機能を実現するために、拡張コネクタ１２４にはＦＡＸボード（図示せず）が接続され、このＦＡＸボードには公衆回線に接続されている。
【００６５】
Ｉ／Ｏ制御部１２６は、リーダ部２００、プリンタ部３００の各ＣＰＵと制御コマンドを送受信するための２チャンネルの調歩同期シリアル通信コントローラ１２７を含み、Ｉ／Ｏバス１２８を介してスキャナＩ／Ｆ１４０及びプリンタＩ／Ｆ１４５と接続されている。
【００６６】
また、Ｉ／Ｏ制御部１２６には、パネルＩ／Ｆ１３２が接続され、パネルＩ／Ｆ１３２は、操作部１５０とのインターフェイスである。このパネルＩ／Ｆ１３２には、ＬＣＤコントローラ１３１が接続され、ＬＣＤコントローラ１３１は、操作部１５０に設けられた液晶表示パネルの駆動を行う。また、パネルＩ／Ｆ１３２は、操作部１５０のハードキー、ソフトキーの操作に応じて入力されたキー信号を取り込むためのＩ／Ｆ１３０を含む。
【００６７】
さらに、Ｉ／Ｏ制御部１２６には、装置内で管理する日時を更新、保存するためのリアルタイムクロックモジュール１３３及びＥ−ＩＤＥコネクタ１６１が接続され、このリアルタイムクロックモジュール１３３はバックアップ用電池１３４でバックアップされている。
【００６８】
Ｅ−ＩＤＥコネクタ１６１は、外部記憶装置を接続するためのコネクタであり、このコネクタ１６１にハードディスク、ＭＯドライブなどの外部記憶装置を接続することによって、この外部記憶装置に画像データを書き込み、また読み出すことができる。本実施の形態では、ハードディスクドライブ（ＨＤドライブ）１６０が接続され、このＨＤドライブ１６０はハードディスク（ＨＤ）１６２を駆動する。
【００６９】
スキャナＩ／Ｆ１４０は、スキャナバス１４１を介してメインコントローラ１１１に接続され、また、リーダ部２００と接続するコネクタ１４２が設けられている。
【００７０】
スキャナＩ／Ｆ１４０とコネクタ１４２とは、同調歩同期シリアルＩ／Ｆ１４３及びビデオＩ／Ｆ１４４を介して接続されている。スキャナＩ／Ｆ１４０は、リーダ部２００から受け取った画像に対して最適な二値化処理、変倍処理などを行う処理機能を有し、また、リーダ部２００から受け取ったビデオ制御信号に基づき制御信号を生成し、この制御信号をスキャナバス１４１を介してメインことローラ１１１に出力する機能を有する。
【００７１】
ここで、スキャナバス１４１からＤＲＡＭ１１６へのデータ転送は、バスコントローラ１１３により制御される。
【００７２】
同様に、プリンタＩ／Ｆ１４５は、プリンタバス１４６を介してメインコントローラ１１１に接続され、また、プリンタ部３００と接続するコネクタ１４７が設けられている。プリンタＩ／Ｆ１４５とコネクタ１４７とは、同調歩同期シリアルＩ／Ｆ１４８及びビデオＩ／Ｆ１４９を介して接続されている。プリンタＩ／Ｆ１４５は、メインコントローラ１１１から出力された画像データにスムージング処理を施してプリンタ部３００へ出力する機能を有し、また、プリンタ部３００から受け取ったビデオ制御信号に基づき制御信号を生成し、この制御信号をプリンタバス１４６を介してメインことローラ１１１に出力する機能を有する。ＤＲＡＭ１１６上で展開されたラスタイメージデータのプリンタ部３００への転送は、バスコントローラ１１３によって制御され、プリンタバス１４６、ビデオＩ／Ｆ１４９を経由してプリンタ部３００へ転送される。
【００７３】
（印刷システムの全体構成）
図４は本実施形態に係る画像処理装置で用いられる、機能構成例を示すブロック図である。
【００７４】
図４に示すように、この印刷システムは、インターフェイス（Ｉ／Ｆ）部４０１を介して印刷用データを受信する。
【００７５】
尚、Ｉ／Ｆ部４０１は印刷用データの受け渡しが可能であればよく、ホストと画像処理装置１００が、直接ケーブル等で接続されていても、ＬＡＮ等のネットワークを介して接続されていても良いことは言うまでもない。
【００７６】
具体的には、図４に示す画像処理装置１００は、Ｉ／Ｆ部４０１と、画像読み取り部４０２と、操作パネル制御部４０３と、文字認識部４０４と、アドレス情報抽出部４０５と、二次元バーコード変換部４０６と、画像データ生成部４０７と、印刷制御部４０８と、Ｗｅｂアクセス部４０９と、印刷情報制御部４１０からなる。
【００７７】
画像読み取り部４０２は、原稿給紙ユニット２５０にセットされた原稿の内容をスキャナユニット２１０にて読み取ることが可能である。
【００７８】
操作パネル制御部４０３は、操作部１５０にて設定された設定内容を画像処理装置に通知することが可能である。
【００７９】
文字認識部４０４は、画像読み取り部４０２にて読み取った原稿内容を解析し、文字列部分を抽出することが可能である。
【００８０】
アドレス情報抽出部４０５は、前記文字認識部４０４にて抽出した原稿内の文字列のうち、アドレス情報（ＵＲＬ）の部分の文字列や位置情報を抽出することが可能である。
【００８１】
二次元バーコード変換部４０６は、前記アドレス情報抽出部４０５にて抽出したアドレス情報（ＵＲＬ）の文字列情報を、ＱＲコードなどの二次元バーコードに変換することが可能である。
【００８２】
画像データ生成部４０７は、前記画像読み取り部４０２で読み込んだ原稿の画像情報や、前記アドレス情報抽出部４０５で抽出した文字列や位置情報、また前記二次元バーコード変換部４０６にて生成した二次元バーコード画像、その他の処理部からの情報等を元に、印刷用の画像データを生成することが可能である。
【００８３】
印刷制御部４０８は、前記画像データ生成部４０７にて生成した画像データを用紙に印刷するための処理が可能である。
【００８４】
Ｗｅｂアクセス部４０９は、前記アドレス情報抽出部４０５にて抽出したアドレス情報（ＵＲＬ）を使って、ＬＡＮを経由しインターネット接続し、アドレス情報の示すホームページ（Ｗｅｂ）にアクセス可能である。
【００８５】
印刷情報制御部４１０は、前記アドレス情報抽出部４０５にて抽出したアドレス情報（ＵＲＬ）の印刷位置情報を記憶したり、印刷するための色を選択し設定したりすることが可能である。
【００８６】
以上、各処理部での処理内容について説明したが、以下に本実施形態における具体的な実現方法を説明する。
【００８７】
＜第１の実施形態＞
まず、図５に示すフローチャートを用いて、本実施形態における画像形成装置において、印刷が完了するまでの方法について説明する。
【００８８】
まず、アドレス情報（ＵＲＬ）が含まれる原稿（印刷物）を、原稿給紙ユニット２５０にセットし、操作部１５０にあるスタートキーを押下することで、コピー動作を開始する。
【００８９】
コピー動作が開始されると、画像読み取り部４０２により、原稿給紙ユニット２５０にセットした原稿が読み取られる。（ステップＳ５０１）
次に、操作パネル制御部４０３により、コピーボタン押下時に「ＵＲＬ変換モード」が選択されていたかどうかを判断する。（ステップＳ５０２）
ここで図６、図７を使って、操作パネルから指示可能な「ＵＲＬ変換モード」のＵＩ例について説明する。
【００９０】
図６は、画像形成装置の操作部１５０における、操作パネルのハードウェア構成図である。
【００９１】
図６に示す操作部２０４が、図３を参照し説明したパネルＩ／Ｆ１３１に接続されている。
【００９２】
図６において図中６０２は、ユーザが設定した設定値などを取り消すためのリセットキーである。６０３は、動作中のジョブを中止させる時に使用するストップキーである。６０４は、置数などの数値入力を行うためのテンキーである。６０５はタッチパネル式の操作画面であり、具体的には図７に示すような画面を表示する（後述）。操作画面６０５は、各種設定をするためのタッチパネルのボタンを多数有する。６０６は、原稿の読み込みなどジョブをスタートさせるためのスタートキーである。さらに６０７は、設定などをクリアするためのクリアキーである。
【００９３】
図７は、操作部１５０の操作パネルの表示（基本画面）を示す図である。図６で示した操作画面６０５のタッチパネルに表示される内容について、図７を参照して説明する。
【００９４】
図７において、画面上部に表示されているタグ７０２は各機能の選択を受け付けるタグである。
【００９５】
タグ７０２は、左から順に、コピー機能、ＦＡＸ送信及びＥメール送信並びにファイルサーバシステムへの送信などの送信機能。
【００９６】
また、スキャナ部で読み込んだ画像データを機器内のハードディスク１６０に格納したり、格納されたデータの操作やプリントを行うことが出来るボックス機能。
【００９７】
また、通信ネットワーク経由でＰＣから操作してスキャン画像をＰＣに取り込むことが出来るリモートスキャナ機能である。
【００９８】
各機能のタグを選択することによりそれぞれの詳細設定が出来る画面に遷移する。
【００９９】
図７に図示した画面は、コピー機能の画面の例である。
【０１００】
このコピー機能の画面は、色モードを選択するボタン７０３や、倍率指定ボタン７０４、用紙選択ボタン７０５、シフトソートやステープルソートなどフィニッシング指定を行うソータボタン７０６、両面指定を行う両面ボタン７０７、濃度を指定するバー７０８、原稿タイプを選択するボタン７０９、その他各種の応用モードを設定する応用モードボタン７１０、またＵＲＬ変換を行うかどうかを選択するボタン７１１などが配置されている。
【０１０１】
これらの設定ボタンによる設定が完了していなくても、本実施形態１の画像形成装置は、原稿台２１１に原稿がセットされたことを検知するか、ＤＦの原稿有無センサ２５０で原稿ありと検知された場合には、原稿を所定の位置に搬送して画像読み込み動作を開始し、ユーザの印刷条件の設定と並行して読み込み処理を進めるよう制御する。
【０１０２】
尚、本操作パネルＵＩ例では、ＵＲＬ変換ボタンをコピー機能のトップ画面に配置するようにしたが、例えば応用モードボタン７１０押下後に表示される他の設定画面にて選択できるようにしてもよいことは言うまでもない。
【０１０３】
以下、引き続き図５のフローチャートにおけるその後の動作に関して説明する。
【０１０４】
前記ステップＳ５０２において、ＵＲＬ変換モードが設定されていた場合、文字認識部４０４は、画像読み取り部４０２により読み取られた原稿内容を解析し、文字認識を行う。（ステップＳ５０３）
また、前記ステップＳ５０２において、ＵＲＬ変換モードが設定されていない場合は、通常コピー動作となるので、通常の画像データ生成を行い、原稿の通りに印刷を行う。
【０１０５】
次に、前記ステップＳ５０３において、文字認識を行い抽出した文字列の中から、アドレス情報抽出部４０５により、アドレス情報（ＵＲＬ）文字列の抽出を行う。（ステップＳ５０４）
次に、二次元バーコード変換部４０６により、前記ステップＳ５０４にて抽出したＵＲＬをＱＲコード等の二次元バーコード画像へ変換する。(ステップＳ５０５)
ここで、図８として二次元バーコードの例として、ＱＲコードの画像例を示す。
【０１０６】
本ＱＲコード内にＵＲＬ文字列が埋め込まれている。
【０１０７】
二次元バーコードへの変換処理が終了後、画像データ生成部４０７により、前記ステップＳ５０１にて読み取られた画像に加え、前記ステップＳ５０５にて変換したＱＲコード画像を、原稿上の何も印字をされていない余白部分に印字するように画像を形成し画像データを作成する。（ステップＳ５０６）
尚、前記ステップＱＲコードの印刷場所を、原稿上の何も印字されていない余白部分として説明したが、ＱＲコードが印字可能な領域であればこれに限るものではなく、ＱＲコードだけを別紙に印刷しても良い。
【０１０８】
また、前記ステップＳ５０６において、ＱＲコードを付加した画像データを生成後、印刷処理ではなく、本実施形態の画像形成装置が持っている機能である送信を利用し、画像データを電子ファイルとしてユーザに送信してもよい。
【０１０９】
前記ステップＳ５０６にて画像データの生成が終了したら、印刷制御部４０８にて印刷処理を行う。（ステップＳ５０７）
ここで、図９として、元原稿からアドレス情報（ＵＲＬ）を読み取って、ＱＲコードに変換し、余白部分に印刷した印字結果の例を示す。
【０１１０】
元原稿に印字されている「ｈｔｔｐ：／／ａｂｃｄｅ．ｃｏ．ｊｐ」というアドレス情報（ＵＲＬ）文字列を抽出し、その内容を含むＱＲコードを生成し、コピー結果として生成したＱＲコードも含め印刷を行う。
【０１１１】
尚、本実施例では、二次元バーコードを主に「ＱＲコード」として説明したが、同等の文字列の埋め込み可能なものであればこれに限るものではないことはいうまでもない。
【０１１２】
以上説明したように、第１の実施形態では、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【０１１３】
さらに、抽出したＵＲＬ文字列を二次元バーコードへ変換し、変換した二次元バーコード画像をコピー画像の空きスペース等に印刷することが可能となる。これによりカメラ等がついた二次元バーコード解析が可能な携帯情報端末であれば、アドレス情報（ＵＲＬ）文字列を一文字ずつ文字入力しなくてもよく、必要なホームページ（Ｗｅｂ）へのアクセスが容易になる、という効果を奏する。
【０１１４】
＜第２の実施形態＞
次に、図１０に示すフローチャートを用いて、第２の実施形態における処理を説明する。
【０１１５】
ステップＳ１００１からステップＳ１００３までは、第１の実施形態で説明したステップＳ５０１からステップＳ５０３の処理と同じ処理なので説明は省略する。
【０１１６】
次に、ステップＳ１００４（第１の実施形態ではステップＳ５０４）において、アドレス情報（ＵＲＬ）を抽出するが、このときＷｅｂアクセス部４０９にて、抽出したアドレス情報（ＵＲＬ）の示すホームページ（Ｗｅｂ）へ接続を試みる。（ステップＳ１００５）
前記ステップＳ１００５において、アドレス情報（ＵＲＬ）の示すホームページ（Ｗｅｂ）にアクセスが成功した場合、現在のアクセス可能である正しいアドレス情報（ＵＲＬ）であると判断し、二次元バーコード変換部４０６により、前記ステップＳ１００４にて抽出したＵＲＬをＱＲコード等の二次元バーコード画像へ変換する。(ステップＳ１００６、Ｓ１００７)
前記ステップＳ１００５において、アドレス情報（ＵＲＬ）の示すホームページ（Ｗｅｂ）にアクセスが失敗した場合（アクセスエラー等が発生した場合）は、ＱＲコード生成は行わず、通常コピー動作として、通常の画像データ生成を行い、原稿の通りに印刷を行う。
【０１１７】
ステップＳ１００８以降の以降の処理は、第１の実施形態と同様なので説明は省略する。
【０１１８】
以上説明したように、第２の実施形態では、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【０１１９】
このとき抽出したアドレス情報（ＵＲＬ）の示すホームページ（Ｗｅｂ）へのアクセスを試み、接続に成功した場合に、抽出したＵＲＬ文字列を二次元バーコードへ変換し、変換した二次元バーコード画像をコピー画像の空きスペース等に印刷することが可能となる。これによりカメラ等がついた二次元バーコード解析が可能な携帯情報端末であれば、アドレス情報（ＵＲＬ）文字列を一文字ずつ文字入力しなくてもよい。
【０１２０】
よって、必要なホームページ（Ｗｅｂ）へのアクセスが容易になるという効果に加え、確実にアクセス可能な二次元バーコード画像を印刷するので、無駄な通信を防ぐことが可能となり、接続の信頼性が向上するという効果を奏する。
【０１２１】
＜第３の実施形態＞
次に、図１１に示すフローチャートを用いて、第３の実施形態における処理を説明する。
【０１２２】
ステップＳ１１０１からステップＳ１１０３までは、第１の実施形態で説明したステップＳ５０１からステップＳ５０３の処理と同じ処理なので説明は省略する。
【０１２３】
次に、ステップＳ１１０４において、アドレス情報（ＵＲＬ）を抽出するが、このとき元原稿の状態によっては、文字認識部４０４が複数の文字列候補を抽出する場合があるので、その場合の処理を説明する。
【０１２４】
Ｗｅｂアクセス部４０９にて、抽出したアドレス情報（ＵＲＬ）の示すホームページ（Ｗｅｂ）へ接続を試みる。（ステップＳ１１０５）
前記ステップＳ１１０５において、アドレス情報（ＵＲＬ）の示すホームページ（Ｗｅｂ）にアクセスが成功した場合、現在のアクセス可能である正しいアドレス情報（ＵＲＬ）であると判断し、二次元バーコード変換部４０６により、前記ステップＳ１００４にて抽出したＵＲＬをＱＲコード等の二次元バーコード画像へ変換する。（ステップＳ１１０６、Ｓ１１０７）
前記ステップＳ１１０５において、アドレス情報（ＵＲＬ）の示すホームページ（Ｗｅｂ）にアクセスが失敗した場合（アクセスエラー等が発生した場合）は、複数抽出した文字列候補のうち、別なＵＲＬ文字列にてホームページ（Ｗｅｂ）へ接続を試みる。（ステップＳ１１１０、Ｓ１１０５）
前記ステップＳ１１１０、Ｓ１１０５において、抽出された複数のＵＲＬ候補のうち別なＵＲＬ文字列によりホームページ（Ｗｅｂ）にアクセスが成功した場合、そのＵＲＬ文字列がアクセス可能である正しいアドレス情報（ＵＲＬ）であると判断し、二次元バーコード変換部４０６により、そのＵＲＬをＱＲコード等の二次元バーコード画像へ変換する。（ステップＳ１１０６、Ｓ１１０７）
また、前記ステップＳ１１１０において、他のＵＲＬ文字列候補がなければ、ＱＲコード生成は行わず、通常コピー動作として、通常の画像データ生成を行い、原稿の通りに印刷を行う。
【０１２５】
その他のステップの処理は、第１、第２の実施形態と同様なので説明は省略する。
【０１２６】
以上説明したように、第３の実施形態では、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【０１２７】
このとき抽出したアドレス情報（ＵＲＬ）の文字列の候補が、原稿の状態や読み取り精度の問題等で一つに定まらず複数あった場合、順次抽出したアドレス情報（ＵＲＬ）の示すホームページ（Ｗｅｂ）へのアクセスを試み、接続に成功した場合に、アクセスに成功したＵＲＬ文字列を二次元バーコードへ変換し、変換した二次元バーコード画像をコピー画像の空きスペース等に印刷することが可能となる。
【０１２８】
これによりカメラ等がついた二次元バーコード解析が可能な携帯情報端末であれば、アドレス情報（ＵＲＬ）文字列を一文字ずつ文字入力しなくてもよい。
【０１２９】
よって、必要なホームページ（Ｗｅｂ）へのアクセスが容易になるという効果に加え、確実にアクセス可能な二次元バーコード画像を印刷するので、無駄な通信を防ぐことが可能となり、接続の信頼性が向上するという効果を奏する。
【０１３０】
＜第４の実施形態＞
次に、図１２に示すフローチャートを用いて、第４の実施形態における処理を説明する。
【０１３１】
ステップＳ１２０１からステップＳ１２０３までは、第１の実施形態で説明したステップＳ５０１からステップＳ５０３の処理と同じ処理なので説明は省略する。
【０１３２】
次に、ステップＳ１２０４において、アドレス情報（ＵＲＬ）を抽出するが、このとき原稿によっては、１枚の原稿に複数のアドレス情報（ＵＲＬ）が印刷されている場合があるので、その場合の処理を説明する。
【０１３３】
ステップＳ１２０３において、文字認識をおこない抽出した文字列の中から、アドレス情報抽出部４０５により、アドレス情報（ＵＲＬ）文字列の抽出を行う。（ステップＳ１２０４）
前記ステップＳ１２０４において、アドレス情報（ＵＲＬ）を抽出する際に、同一原稿上に複数のアドレス情報（ＵＲＬ）が存在するかどうか判定する。（ステップＳ１２０５）
前記ステップＳ１２０５において、複数のアドレス情報（ＵＲＬ）が抽出された場合、抽出した全てのアドレス情報（ＵＲＬ）を処理するために、抽出したアドレス情報（ＵＲＬ）の数をカウンタＮにセットする。（ステップＳ１２０６）
前記ステップＳ１２０５において、もし１つのアドレス情報（ＵＲＬ）しか抽出されなかった場合は、カウンタＮに「１」をセットする。（ステップＳ１２０７）
次に、印刷情報制御部４１０において、アドレス情報（ＵＲＬ）がページ内のどの位置に印字されているかを記憶する。（ステップＳ１２０８）
次に、二次元バーコード変換部４０６により、前記ステップＳ１２０４にて抽出したＮ番目のアドレス情報（ＵＲＬ）をＱＲコード等の二次元バーコード画像へ変換する。(ステップＳ１２０９)
Ｎ番目の二次元バーコード処理が終了したら、次にＮ−１番目のアドレス情報（ＵＲＬ）を処理するため、カウンタＮを１減らす。（ステップＳ１２１０）
もし、カウンタＮが０より大きい場合は、まだ抽出したアドレス情報（ＵＲＬ）が残っているということなので、前記ステップＳ１２０８にて次のアドレス情報（ＵＲＬ）の処理を行う。
【０１３４】
もし、カウンタＮが０になったら抽出したすべてのアドレス情報（ＵＲＬ）の二次元バーコード変換処理が終了したことになるので、画像データ生成を行う。（ステップＳ１２１１）
このとき、画像データ生成処理では、前記ステップＳ１２０８にて記憶・保持したアドレス情報（ＵＲＬ）の位置情報を利用し、該当する二次元バーコードをアドレス情報（ＵＲＬ）の印刷されている側に配置することが可能である。
【０１３５】
また、文中に記載されているアドレス情報（ＵＲＬ）の場合、二次元バーコードを印刷するようなスペースがない場合がある。
【０１３６】
このとき、画像データ生成部４０７にて、そのアドレス情報（ＵＲＬ）が印刷されている場所のちょうど裏面に二次元バーコード画像を印刷するように画像データの生成を行う。（ステップＳ１２１３）
以降の処理は、他の実施例と同一の処理となるので、説明は省略する。
【０１３７】
以上説明したように、第４の実施形態では、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【０１３８】
このとき抽出したＵＲＬ文字列が原稿１ページの中に複数あった場合、それぞれのアドレス情報（ＵＲＬ）の印字されている位置を記憶し、二次元バーコードへ変換する。
【０１３９】
変換した二次元バーコード画像をコピー画像に印字する際は、元となるアドレス情報（ＵＲＬ）の印字されている近くの空きスペース等に印刷することが可能となる。
【０１４０】
また、元となるアドレス情報（ＵＲＬ）の印字されている近くに空きスペースがない場合は、アドレス情報（ＵＲＬ）の印字してある位置のちょうど裏面の位置に二次元バーコード画像が印刷されるように画像データを両面データとして生成することも可能である。
【０１４１】
これによりカメラ等がついた二次元バーコード解析が可能な携帯情報端末であれば、アドレス情報（ＵＲＬ）文字列を一文字ずつ文字入力しなくてもよい。
【０１４２】
よって、必要なホームページ（Ｗｅｂ）へのアクセスが容易になるという効果に加え、ページ内に記載されたアドレス情報（ＵＲＬ）が複数存在する場合にも、該当するアドレス情報（ＵＲＬ）と二次元バーコードが近い位置もしくは表裏同一位置に印刷されるので、確実に該当するホームページ（Ｗｅｂ）にアクセス可能となり、利便性が向上する、という効果を奏する。
【０１４３】
＜第５の実施形態＞
次に、図１３に示すフローチャートを用いて、第５の実施形態における処理を説明する。
【０１４４】
第４の実施形態では、抽出したアドレス情報（ＵＲＬ）と該当する二次元バーコードの印刷する位置を調整することにより双方の関連付けを行ったが、それ以外の関連付け方法について処理を説明する。
【０１４５】
ステップＳ１３０１からステップＳ１３０６までは、第４の実施形態のステップＳ１２０１からステップＳ１２０６と同じ処理なので、説明は省略する。
【０１４６】
ステップＳ１３０６にて、１ページ内に複数のＵＲＬが抽出された場合、Ｎ番目のアドレス情報（ＵＲＬ）と、それに該当する二次元バーコードについて、印刷情報制御部４１０は、印刷する際の印刷色を記憶・保持する。（ステップＳ１３０８）
その後、印刷情報制御部４１０は、その他のアドレス情報（ＵＲＬ）と、それに該当する二次元バーコードについても同様に、前述のものと同一色にならないように制御し、印刷色を記憶する。
【０１４７】
抽出した全てのアドレス情報（ＵＲＬ）と二次元バーコードに対して処理が終了したら、画像データ生成部４０７において、前記ステップＳ１３０８にて設定した印刷色を使い、アドレス情報（ＵＲＬ）と二次元バーコードを同一色になるように画像データを生成する。（ステップＳ１３１３）
その他の処理については、前述の第４の実施形態で説明したものと同一の処理となるので、説明は省略する。
【０１４８】
以上説明したように、第５の実施形態では、アドレス情報（ＵＲＬ）が印刷された印刷物を、ＵＲＬ変換モードとしてコピー実行することで、印刷物の中のアドレス情報（ＵＲＬ）を文字認識しＵＲＬ文字列の抽出を行う。
【０１４９】
このとき抽出したＵＲＬ文字列が原稿１ページの中に複数あった場合、それぞれのアドレス情報（ＵＲＬ）の印字されている位置を記憶し、二次元バーコードへ変換する。
【０１５０】
変換した二次元バーコード画像をコピー画像に印字する際は、元となるアドレス情報（ＵＲＬ）とそれに該当する二次元バーコードを同一色で印刷することが可能となる。
【０１５１】
これによりカメラ等がついた二次元バーコード解析が可能な携帯情報端末であれば、アドレス情報（ＵＲＬ）文字列を一文字ずつ文字入力しなくてもよい。
【０１５２】
よって、必要なホームページ（Ｗｅｂ）へのアクセスが容易になるという効果に加え、ページ内に記載されたアドレス情報（ＵＲＬ）が複数存在する場合にも、該当するアドレス情報（ＵＲＬ）と二次元バーコードが同一の色で印刷されるので、確実に該当するホームページ（Ｗｅｂ）にアクセス可能となり、利便性が向上する、という効果を奏する。
【図面の簡単な説明】
【０１５３】
【図１】本発明の実施の一形態に係る画像処理装置を含む画像入出力システムの構成を示すブロック図である。
【図２】画像処理装置のリーダ部２００及びプリンタ部３００のハードウェア構成を模式的に示す図である。
【図３】画像処理装置における制御装置１１０の構成を示すブロック図である。
【図４】本発明の実施形態における画像処理装置を含む画像入出力システムの構成を示すブロック図である。
【図５】本発明の第１の実施形態における処理を説明するフローチャート図である。
【図６】操作部１５０における操作パネルのハードウェア構成の一例を示す図である。
【図７】操作部１５０の操作パネルの表示（基本画面）の一例を示す図である。
【図８】二次元バーコードの一例としてＱＲコード画像を示す図である。
【図９】本発明の第１の実施形態における印字結果の一例を示す図である。
【図１０】本発明の第２の実施形態における処理を説明するフローチャート図である。
【図１１】本発明の第３の実施形態における処理を説明するフローチャート図である。
【図１２】本発明の第４の実施形態における処理を説明するフローチャート図である。
【図１３】本発明の第５の実施形態における処理を説明するフローチャート図である。
【符号の説明】
【０１５４】
１００  画像処理装置
１１０  制御装置
１５０  操作部
１６０  ＨＤドライブ
２００  リーダ部
３００  プリンタ部
４０２  ボックス領域
【図１】
2009141772.tif 000003
【図２】
2009141772.tif 000004
【図３】
2009141772.tif 000005
【図４】
2009141772.tif 000006
【図５】
2009141772.tif 000007
【図６】
2009141772.tif 000008
【図７】
2009141772.tif 000009
【図８】
2009141772.tif 000010
【図９】
2009141772.tif 000011
【図１０】
2009141772.tif 000012
【図１１】
2009141772.tif 000013
【図１２】
2009141772.tif 000014
【図１３】
2009141772.tif 000015